(57)【特許請求の範囲】
【請求項１】
災害地において排水作業を行う排水ポンプ車であって、
荷台の車両前方側に設けられた操作制御盤と、
荷台の床面より下部に設置されて車両用エンジンの動力で駆動される発電機とを備え、
前記操作制御盤より車両後方に位置して床面を略平坦とした荷台の側面及び上面は、開閉自在なウィングパネルで開放自在に覆われ、
荷台の前記ウィングパネルで覆われる領域内に、排水ポンプ、排水ホース及びフロートを積載し、
前記ウィングパネルの該ウィングパネルを開いた時に外方に露出する内面に、照明器を設けたことを特徴とする排水ポンプ車。
【請求項２】
前記ウィングパネルの該ウィングパネルを開いた時に外方に露出する内面に、文字表示器及び警報機を設けたことを特徴とする請求項１記載の排水ポンプ車。
【発明の詳細な説明】
【技術分野】
【０００１】
本発明は、災害地等の浸水部の排水を行うための設備（排水ポンプ、排水ホース、給電装置（発電機）、操作制御盤等）を搭載し目的地に搬入して排水を行うのに使用される排水ポンプ車に関する。
【背景技術】
【０００２】
排水ポンプ車は、地震や豪雨などで発生した自然ダム等の排水を行う緊急設備である。作業員は、排水ポンプ車が現地に到着すると、排水ポンプ車の荷台から排水ポンプや排水ホース等を降ろして排水目的地に設置し、排水状態を管理しながら排水操作を行う。そして、排水が完了した後、作業員は、排水ポンプ類を排水目的地から撤去して排水ポンプ車の荷台に積み込み、その後、排水ポンプ車を待機車庫に戻す。
【０００３】
災害地における排水作業においては、その災害規模により、照明設備や、通信、指示本部機能も必要となる。そのような場合、排水ポンプ車とは別に、対策本部車、照明車及び衛星通信車などの車両を現地に配備することが一般的である。
【０００４】
排水ポンプ車は、家屋やインフラ設備の無い、自然（天然）ダム等の災害地区に設置される緊急用の仮設排水設備であり、搬入路や設置場所（駐車場所）等に制約が生じる場合が多い。このため、大型車の採用が困難となり、容量（吐出量）が大きいポンプではなく、小水量の可搬できるポンプを多数設置して排水作業を行うようにしている。そして、夜間や雨・雪などの悪天候においても排水運転を行う設備であり、一旦設置されると、２４時間×数日の連続作業となる場合が多い。
【０００５】
排水ポンプ車として、複数台の軽量水中ポンプ、車両用エンジンの動力で駆動される発電装置、及び排水ホース等を搭載したものが知られている（特許文献１参照）。また、車両用エンジンの他に第２エンジンを搭載して、排気量を増大し排水能力を高めるようにした排水ポンプ車（特許文献２参照）、発電機に設けられた冷却ファンにより発電機を効率的に冷却して発電機の加熱を防止するようにした排水ポンプ車（特許文献３参照）、及び車体に対して着脱自在なコネクタボックスを備えることで、使い勝手を良くし、迅速な災害対策を行えるようにした排水ポンプ車（特許文献４参照）等が提案されている。
【先行技術文献】
【特許文献】
【０００６】
【特許文献１】特開２０００−１０８７７１号公報
【特許文献２】特開２００１−１２２０１１号公報
【特許文献３】特開２００２−２３４３７５号公報
【特許文献４】特開２０１０−１９５２４２号公報
【発明の概要】
【発明が解決しようとする課題】
【０００７】
排水ポンプ車は、前述のように、過酷な条件で運転されるが、従来の排水ポンプ車は、排水する為の設備の運搬や設置のし易さのみが考慮されており、運転中の機能管理、作業員の安全管理はあまり配慮されていないのが現状であった。
【０００８】
また、災害地は、その災害状況にもよるが、一般に狭い。このため、対策本部車、照明車及び衛星通信車等を、排水ポンプ車と共に現地に出動させて配備しようとしても、主要機器である排水ポンプ類を移送する必要機器（車両）である排水ポンプ車を対策現場直近に設置すると、対策本部車等が設置しにくい（スペースがない）場合がある。
【０００９】
対策本部車は、排水作業の全体を指揮・管理するものであり、現地に入ったとしても、一般の作業員に対して良好な環境を提供するものではない。また、対策本部車には、機器（盤類含む）の故障時に機器を修理するための装備は一般に備えられていない。災害地においては、自然災害を拡大させないためにも、できるだけ早急に排水を完了させることが求められる。このため、故障機が復旧できずに排水能力が低下したり、停止したりしたままの状態になると、災害が拡大し、大きな被害をもたらす恐れがある。
【００１０】
特許文献１〜４に記載の排水ポンプ車は、排水ポンプの設置（取り付け作業）の容易化や、機能向上のみを考慮しており、長時間にわたる過酷な作業を行う作業員に対する環境改善や、故障を復旧するための装備について何ら考慮されていない。
【００１１】
実際の災害現場で長時間に亘る排水作業を行うと、作業員（運転員）の疲労はかなり大きいものとなり、作業員に対する相応の現場環境が必要となる。また、作業員の疲労が大きくなると、けが等が発生し易くなることから、作業員の救護等も考慮した設備が求められている。
【００１２】
本発明は上記事情に鑑みて為されたもので、作業員にとってより安全で、信頼性の高い設備を構築することができるようにした排水ポンプ車を提供することを目的とする。
【課題を解決するための手段】
【００１３】
本発明の一参考例は、災害地において排水作業を行う排水ポンプ車であって、荷台車両前方側に設けられた操作制御盤と、荷台の床面より下部に設置されて車両用エンジンの動力で駆動される発電機とを備え、前記操作制御盤より車両後方に位置して床面を略平坦とした荷台の側面及び上面は、車両の進行方向に伸縮可能なテントで開放自在に覆われ、荷台の前記テントで覆われる領域内に、排水ポンプ、排水ホース及びフロートを積載したことを特徴とする排水ポンプ車である。
【００１４】
これにより、排水作業時に、排水ポンプ、排水ホース及びフロートを荷台から降ろすことで、操作制御盤より車両後方に位置する荷台を、床面が略平坦で、風雨を避けるテントで周囲を覆った、作業員の休憩場として利用可能な設備とする（排水機能及び作業員の休息機能の２重の目的を持たせる）ことができる。従って、災害地における狭小スペースの中で、安全な作業環境を提供して、２次災害（作業員の疲労等による事故）を防止できる設備（機器）を構築することができる。しかも、排水ポンプ等の積み卸し作業を行うときに、テントを縮めて荷台の側面を開放することで、この積み卸し作業がテントによって阻害されることはない。
【００１５】
上記参考例の好ましい態様は、荷台の前記テントで覆われる領域内に、作業員休憩具を積載したことを特徴とする。
発電機を荷台の下部に搭載したことにより、荷台に余裕分となるスペースを確保し、このスペースを利用して、荷台に作業員休憩具を積載することで、作業員の作業環境を更に向上させることが可能となる。
【００１６】
上記参考例の好ましい態様は、前記操作制御盤の内部または前記操作制御盤に隣設した位置に通信設備を設けたことを特徴とする。
このように、排水ポンプ車に通信設備を設けることで、狭地で、排水作業のメインとなる排水ポンプ車以外の災害対策車（基地車）や通信車が災害現場に乗り込めない場所においても、円滑な排水・災害復旧対応が可能となる。
【００１７】
上記参考例の好ましい態様は、前記通信設備の操作面は、荷台の前記テントで覆われる領域に面していることを特徴とする。
これにより、通信機器の操作面に排水ポンプの運転状態（電流，故障等）を表示させ、しかも、テント内から排水状態を確認できるようにすることで、簡易基地としての機能を充実させることができる。
【００１８】
上記参考例の好ましい態様は、荷台の前記テントで覆われる領域内に、機材補修用の加工機器及び補修工具棚を設けたことを特徴とする。
これにより、排水ポンプや排水ホース等の現地設置用の治具を現地で容易に製作できるようにして、排水ポンプ等の好ましい設置を可能として、排水運用の信頼性を向上させ、しかも、排水機能を維持するための応急補修を容易に行って、早急な災害復旧を行うことが可能となる。
【００１９】
本発明の他の参考例は、災害地において排水作業を行う排水ポンプ車であって、荷台の車両前方側に設けられた操作制御盤と、荷台の床面より下部に設置されて車両用エンジンの動力で駆動される発電機とを備え、前記操作制御盤より車両後方に位置して床面を略平坦とした荷台の側面及び上面は、開閉自在なウィングパネルで開放自在に覆われ、荷台の前記ウィングパネルで覆われる領域内に、排水ポンプ、排水ホース及びフロートを積載したことを特徴とする排水ポンプ車である。
【００２０】
このように、荷台の側面及び上面を、アルミニウムや鋼板製等のウィングパネルで覆って該ウィングパネルの内部を風雨等から保護することで、テント等の構成に比べて風雨等に強くなり、荷台が有する基地機能や休憩機能をより高めることができる。
【００２１】
本発明の一態様は、災害地において排水作業を行う排水ポンプ車であって、荷台の車両前方側に設けられた操作制御盤と、荷台の床面より下部に設置されて車両用エンジンの動力で駆動される発電機とを備え、前記操作制御盤より車両後方に位置して床面を略平坦とした荷台の側面及び上面は、開閉自在なウィングパネルで開放自在に覆われ、荷台の前記ウィングパネルで覆われる領域内に、排水ポンプ、排水ホース及びフロートを積載し、前記ウィングパネルの該ウィングパネルを開いた時に外方に露出する内面に、照明器を設けたことを特徴とする。
【００２２】
これにより、開いた時に高所に位置するウィングパネルに設けた照明器で、効率的に作業場所（外部）を灯光することができる。しかも、ウィングパネルは、閉じた時に照明器が手の届く低所に位置するため、照明器の維持管理（玉切れ等の対応他）が容易となり、移動時においても、照明器が運送上の邪魔になることはない。
【００２３】
本発明の好ましい態様は、前記ウィングパネルの該ウィングパネルを開いた時に外方に露出する内面に、文字表示器及び警報機を設けたことを特徴とする。
【００２４】
これにより、開いた時に高所に位置するウィングパネルに設けた文字表示器によって、緊急時の退避命令や地震速報等の情報を作業者に文字で伝え、更に警報機を併用して情報を周知させることによって、作業のより安全性を図りながら、効率的な復旧作業が可能となる。
【００２５】
上記参考例の好ましい態様は、荷台の有効スペース内に燃料用補助タンクを設けたことを特徴とする。
これにより、一台の排水ポンプ車が保有できる燃料の保有量を増やして、燃料切れによる排水ポンプの機能停止を極力防止することができる。
【００２６】
上記参考例の好ましい態様は、前記燃料用補助タンクに、該燃料用補助タンク内に保有されている燃料の低下を検知する検知器を設けたことを特徴とする。
これにより、燃料用補助タンク内に燃料を補充し忘れることを極力防止することができる。
【発明の効果】
【００２７】
本発明の排水ポンプ車によれば、荷台を、テントで覆われた作業員の休憩場として利用可能な設備とすることで、作業員にとってより安全で、信頼性の高い設備を構築することが可能となる。
【図面の簡単な説明】
【００２８】
【図１】本発明の第１の実施形態の排水ポンプ車の手前の側あおりを省略したテントの縮めた状態の正面図である。
【図２】本発明の第１の実施形態の排水ポンプ車のテントを省略した平面図である。
【図３】本発明の第１の実施形態の排水ポンプ車の手前の側あおりを省略したテントを伸ばした状態の正面図である。
【図４】本発明の第１の実施形態の排水ポンプ車の手前の側あおりを省略したテントを縮めた状態のポンプ類を荷台から降ろした時の正面図である。
【図５】本発明の第２の実施形態の排水ポンプ車のテント及び手前の側あおりを省略した正面図である。
【図６】本発明の第２の実施形態の排水ポンプ車のテントを省略した平面図である。
【図７】本発明の第３の実施形態の排水ポンプ車の手前の側あおりを省略したテントの縮めた状態の正面図である。
【図８】本発明の第３の実施形態の排水ポンプ車のテントを省略した平面図である。
【図９】本発明の第３の実施形態の排水ポンプ車のテント、手前の側あおり及びフロートを省略した正面図である。
【図１０】本発明の第４の実施形態の排水ポンプ車の手前の側あおりを省略したテントの縮めた状態の正面図である。
【図１１】本発明の第４の実施形態の排水ポンプ車のテントを省略した平面図である。
【図１２】本発明の第４の実施形態の排水ポンプ車のテント、手前の側あおり、フロート及び補修工具棚を省略した正面図である。
【図１３】本発明の第５の実施形態の排水ポンプ車のウィングパネルを閉じた時の正面図である。
【図１４】図１３の平面図である。
【図１５】本発明の第５の実施形態の排水ポンプ車のウィングパネルを開いた時の正面図である。
【図１６】荷台上の機器を省略した図１５のＡ−Ａ線断面図である。
【図１７】本発明の第６の実施形態の排水ポンプ車のウィングパネルを閉じた時の平面図である。
【図１８】本発明の第７の実施形態の排水ポンプ車の図１６相当図である。
【図１９】本発明の第８の実施形態の排水ポンプ車のウィングパネルを開いた時の正面図である。
【発明を実施するための形態】
【００２９】
以下、本発明の実施形態を図面を参照して説明する。以下の各例において、同一または相当部材には同一符号を付して重複した説明を省略する。なお、以下の各例では、６台の排水ポンプと、排水ホースを連結して延長することを考慮して、１２本の排水ホースを荷台に積載した例を示しているが、排水ポンプと排水ホースの搭載数が任意であることは勿論である。
【００３０】
図１乃至図４は、本発明の第１の実施形態の排水ポンプ車を示す。図１乃至図４に示すように、この例の排水ポンプ車１０は、床面１２ａを略平坦とした荷台１２を備えており、この荷台１２の車両前方に位置して、矩形ボックス状の操作制御盤１４が床面１２ａ上に搭載されている。荷台１２の床面１２ａの下部には、車両用エンジン（図示せず）の動力で駆動される発電機１６が搭載されている。つまり、車両用エンジンの動力は、動力取出装置（ＰＴＯ）１８で車両用エンジンから取出されて発電機１６に伝達され、これによって、発電機１６が駆動される。
【００３１】
操作制御盤１４より車両後方に位置し、一対の側あおり２０及び後あおり２２で周囲を包囲され床面１２ａを略平坦とした荷台１２の側面及び上面は、車両の進行方向に伸縮可能な、この例では、いわゆるアコーディオン幌からなるテント２４で開放自在に覆われている。つまり、テント（アコーディオン幌）２４を縮めた状態では、図１に示すように、テント２４が荷台１２の車両前方に位置して、テント２４の車両後方に位置する荷台１２の側面及び上面が開放し、テント２４を伸ばした状態では、図３に示すように、テント２４が荷台１２のほぼ全側面及び上面を覆って、荷台１２上に、テント２４で覆われて風雨を避けられる空間が形成されるようになっている。
【００３２】
操作制御盤１４より車両後方に位置してテント２４で覆われる荷台１２の床面１２ａには、６台の排水ポンプ２６、１２本の排水ホース２８、及びかごからなる設置治具入れ３０が積載されている。この設置治具入れ３０には、係留ロープ、ハンマ及び係留杭等が積み込まれる。更に、操作制御盤１４の後面上部には、左右３個づつ計６個のフロート３２が備えられている。
【００３３】
この例によれば、作業員（運転員）は、排水ポンプ車１０を被災地等の現地に到着させた後、荷台１２から排水ポンプ２６、排水ホース２８、設置治具入れ３０及びフロート３２を降ろして排水ポンプ類を現場に設置し、排水作業を開始する。このため、排水作業時においては、図４に示すように、操作制御盤１４より車両後方に位置する荷台１２の床面１２ａは、何もない略平坦な状態となる。
【００３４】
この例の排水ポンプ車１０は、荷台１２を、床面１２ａが略平坦で、周囲をテント２４で覆った、作業員の休憩場として利用することで、つまり、排水ポンプ車１０に排水機能及び作業員の休息機能の２重の目的を持たせたことで、災害地における狭小スペースの中で、作業員に安全な作業環境を構築し、２次災害（作業員の疲労等による事故）を防止できる設備（機器）となる。
【００３５】
特に、災害地における排水作業は、２４時間×数日の連続作業となる場合が多く、夜間や、雨・雪などの悪天候においても運転を行うことが要求されるが、図４に示すように、操作制御盤１４の車両後方に位置する荷台１２の全側面及び上面をテント２４で覆って風雨が避けられるようにすることで、作業員にとって、より快適な休憩場としての空間を提供することができる。
【００３６】
しかも、排水ポンプ等の積み卸し作業を行うときには、図１に示すように、テント２４を縮めて、操作制御盤１４の車両後方に位置する荷台１２の側方を開放し、荷台１２の側方からアクセス可能とすることで、この積み卸し作業がテント２４の存在によって阻害されることを防止することができる。これによって、排水ポンプ類の迅速な設置作業が可能となり、早急な排水運転が行え、機動性、信頼性を高めることができる。
【００３７】
図５及び図６は、本発明の第２の実施形態の排水ポンプ車１０ａを示す。なお、図５及び図６において、テント２４は省略されている。この例の排水ポンプ車１０ａの第１の実施形態の排水ポンプ車１０と異なる点は、荷台１２のテント２４で覆われる領域、この例では、操作制御盤１４の直後方に位置するフロート３２の下方に、ベッドや椅子等の作業員休憩具３４を積載している点にある。
【００３８】
前述のように、発電機１６を荷台１２の床面１２ａの下部に搭載することで、荷台１２に余裕分となるスペースを確保することが可能となる。この例では、このスペースを利用して、荷台１２に作業員休憩具３４を設置することにより、作業員の作業環境を更に向上させることが可能となる。
【００３９】
なお、ベッドや椅子等の作業員休憩具３４とあわせ、毛布等の防寒具や、非常食・救急用医薬品等の設備を付加するようにしても良い。
【００４０】
図７乃至図９は、本発明の第３の実施形態の排水ポンプ車１０ｂを示す。この例の排水ポンプ車１０ｂの第１の実施形態の排水ポンプ車１０と異なる点は、操作制御盤１４に隣接した位置、この例では、操作制御盤１４の後面側の荷台１２の幅方向に沿った一方に偏った位置に通信設備３６を設け、更に、操作制御盤１４の後面側の荷台１２の幅方向に沿った他方に偏った位置に、上下３個づつ計６個のフロート３２を縦方向に設けている点にある。
【００４１】
この通信設備３６は、衛星電話や無線等の官公庁の通信網を使用して、官公庁の対策本部と通信するための通信機能を備えている。このように、通信機能を備え、必要に応じて、椅子や机を備えることで、簡易基地としての使用が可能となる。
【００４２】
この例の排水ポンプ車１０ｂによれば、通信機能を有する通信設備３６を備えることで、例えば狭地で、排水作業のメインとなる排水ポンプ車以外の災害対策車（基地車）や通信車が乗り込めない場所においても、通信設備３６を利用した円滑な排水・災害対策が可能となる。更に、操作制御盤１４に隣設した位置に通信設備３６を設けることにより、通信用の電源の確保が容易となる。また、通信設備３６に照明を設け、夜間における基地機能・環境を向上させるようにしても良い。
【００４３】
この例では、通信設備３６の後面３６ａに操作面を設け、この操作面（後面３６ａ）に排水ポンプの運転状態（電流，故障等）を表示させるようにしている。これにより、テント２４内から排水状態が確認できるようになるので、簡易基地としての機能を更に充実させることができる。
【００４４】
この例では、操作制御盤１４に隣設した位置に通信設備３６を設置するようにしているが、操作制御盤１４の内部に通信機器を組込み、操作制御盤１４の後面に該操作制御盤１４及び通信機器兼用の操作面を設けるようにしてもよい。
【００４５】
これにより、操作制御盤１４の内部の故障等に対する応急修理時においても、テント２４内に位置する操作制御盤１４の後面から操作制御盤１４の内部へのアクセスが可能となり、例えば、雨天時における盤内機器の故障復旧に迅速に対応して、排水作業の信頼性を向上させることができる。
【００４６】
図１０乃至図１２は、本発明の第４の実施形態の排水ポンプ車１０ｃを示す。この例の排水ポンプ車１０ｃの第１の実施形態の排水ポンプ車１０と異なる点は、荷台１２のテント２４で覆われる領域内、この例では、操作制御盤１４の後面側の荷台１２の幅方向に沿った中央に、ボール盤等の機材補修用の加工機器３８を、該加工機器３８を挟んだ一方に補修工具棚４０をそれぞれ設け、更に加工機器３８を挟んだ他方に、上下３個づつ計６個のフロート３２を縦方向に設けている点にある。
【００４７】
排水ポンプ車に搭載される設備は、災害地が対象となるため、場所を特定し、その場所に合わせた設備として設計することができない。このため、出動した時々に合わせて、現地調整（ポンプの設置、ホースの敷設等）を行うことが好ましく、現地調整を行わないと、最悪の場合は、排水ポンプ類を現場に設置できない場合もある。
【００４８】
この例の排水ポンプ車１０ｃによれば、排水ポンプや排水ホース等の現地設置用の治具を、ボール盤等の加工機器３８によって、現地で容易に製作・改造できるようになり、排水ポンプ等の好ましい設置を可能として、排水運用の信頼性を向上させることができる。
【００４９】
排水ポンプ車に搭載される設備は、一般に可搬式の仮設設備として設計されているため、定置式に比べ重厚な設計となっておらず、また、排水時の使用条件も非常に厳しいことから、故障等が発生する可能性が高い。現地で応急補修を行う設備がないと、故障機の復旧が困難となって、最悪の場合は、排水機能の停止に繋がる。
【００５０】
この例の排水ポンプ車１０ｃによれば、荷台１２上の風雨を避けた作業環境の中で、つまり伸ばしたテント２４の中で、ボール盤等の加工機器３８を使用した応急補修を行うことが可能となるので、排水機能を維持して、早急な災害復旧を行うことが可能となる。
【００５１】
なお、ボール盤のような加工機器３８は、風雨に晒すと錆が発生し、使用できなくなる恐れがあるが、この例のように、縮めたテント２４で覆われる位置に加工機器３８を設けることで、輸送時においても、風雨を避けることが可能となり、加工機器の輸送時における錆の発生を防止することができる。
【００５２】
図１３乃至図１６は、本発明の第５の実施形態の排水ポンプ車１０ｄを示す。この例の排水ポンプ車１０ｄの第１の実施形態の排水ポンプ車１０と異なる点は、テント２４の代わりに、開閉自在な一対のウィングパネル５０を備え、床面１２ａに操作制御盤１４、排水ポンプ２６、排水ホース２８及び設置治具入れ３０を搭載した荷台１２の側面及び上面を、一対のウィングパネル５０で開放自在に覆っている点にある。
【００５３】
ウィングパネル５０は、例えば共にアルミニウムまたは鋼板製のサイドパネル５２とループパネル５４とを互いに直角に連接して構成されており、荷台１２の上方に車両の進行方向に沿って配置したウィングビームに、ヒンジを介して、開閉自在に連結されている。これにより、ウィングパネル５０を閉じると、図１３に示すように、荷台１２の側面及び上面がウィングパネル５０で覆われて、荷台１２上に風雨を避けられる空間が形成され、ウィングパネル５０を開くと、図１５に示すように、荷台１２の側方及び上方が開放されるようになっている。
【００５４】
このように、荷台１２の側面及び上面を、アルミニウムや鋼板製等のウィングパネル５０で覆って該ウィングパネル５０の内部を風雨等から保護することで、テント等の構成に比べて風雨等に強くなり、荷台１２が有する基地機能や休憩機能をより高めることができる。
【００５５】
ウィングパネル５０を開いた時に外方に露出するサイドパネル５２の内面下部には、ウィングパネル５０を開いた時に外部を灯光する照明器５６が設けられている。これにより、ウィングパネル５０を開いた時に高所に位置するサイドパネル５２の内面下部に設けた照明器５６で、効率的に作業場所（外部）を灯光することができる。しかも、サイドパネル５２の内面下部は、ウィングパネル５０を閉じた時に照明器５６が手の届く低所に位置するため、照明器５６の維持管理（玉切れ等の対応他）が容易となり、移動時においても、照明器５６が運送上の邪魔になることはない。
【００５６】
従来の一般的な排水ポンプ車においては、照明車がない場合を想定し、バルーン照明を搭載して現地に赴く場合があり、バルーン照明は、一般に不安定であり、運搬上、注意を要するが、この例によれば、照明器５６の安定した運搬が可能になる。
【００５７】
ウィングパネル５０を開いた時に外方に露出するルーフパネル５４の内面上部には、ウィングパネル５０を開いた時に、外部に故障、作業、退避命令又は情報等を発信する文字表示器５８及び警報機６０が設けられている。これにより、ウィングパネル５０を開いた時に高所に位置するウィングパネル５０のルーフパネル５４の内面上部に設けた文字表示器５８によって、緊急時の退避命令や地震速報等の情報を作業者に文字で伝え、更に警報機６０を併用して情報を周知させることによって、作業のより安全性を図りながら、効率的な復旧作業が可能となる。
【００５８】
ウィングパネル５０が閉じたときに該ウィングパネル５０で囲まれる荷台１２上の有効スペースには、燃料用補助タンク６２が設けられており、この燃料用補助タンク６２には、内部に保有されている燃料の低下を検知する検知器（図示せず）が設けられている。
【００５９】
排水ポンプ車をはじめ緊急用設備においては、連続して使用する運用時間が想定しにくいという課題がある。このため、従来の排水ポンプ車にあっては、車載の燃料タンク内の燃料の残量を見ながら、燃料の補充を繰り返す運用が一般的であるが、車載の燃料タンクが小さい場合に、燃料補充回数が多いことや、残りの燃料の確認忘れ等で、燃料切れによる排水ポンプの機能停止に追い込まれる危険性がある。
【００６０】
この例によれば、荷台１２上の有効スペースを利用して、検知器を有する燃料用補助タンク６２を設けることで、一台の排水ポンプ車が保有できる燃料の保有量を増やして、燃料切れによる排水ポンプの機能停止を極力防止し、しかも、燃料の補充忘れをなくすことが可能となり、作業性及び信頼性の高い設備となる。
【００６１】
更に、この例では、荷台１２に基地や休憩機能としての役割を果たさせる時の換気用として、ウィングパネル５０のサイドパネル５２に換気用窓６４を設けている。この換気用窓６４は、必要に応じて設けられる。
【００６２】
図１７は、本発明の第６の実施形態の排水ポンプ車１０ｅを示す。この例の排水ポンプ車１０ｅには、車両の外方に張り出して車両を安定させる、油圧式のアウトリガー６６が付設されている。このように、アウトリガー６６を付設して車両の揺れを防止することで、荷台１２に基地や休憩機能としての役割を果たさせる時の安定性を高めることができる。
【００６３】
図１８は、本発明の第７の実施形態の排水ポンプ車１０ｆを示す。この例の排水ポンプ車１０ｆは、荷台１２上に簡易な荷役機器６８を設けている。この荷役機器６８の代わりに、荷役機器を取り付けるためのレールを設けるようにしても良い。このように、簡易な荷役機器６８を設けることにより、作業員の高年齢化に対しても、有効な設備となる。
【００６４】
図１９は、本発明の第８の実施形態の排水ポンプ車１０ｇを示す。この例の排水ポンプ車１０ｇは、排水ポンプ運用時を考慮して、操作制御盤１４のみをウィングパネル５０の外部に設置するようにしている。
【００６５】
これまで本発明の一実施形態について説明したが、本発明は上述の実施形態に限定されず、その技術的思想の範囲内において種々異なる形態にて実施されてよいことは言うまでもない。
【符号の説明】
【００６６】
１０，１０ａ，１０ｂ，１０ｃ，１０ｄ，１０ｅ，１０ｆ，１０ｇ  排水ポンプ車
１２  荷台
１２ａ  床面
１４  操作制御盤
１６  発電機
１８  動力取出装置
２０  側あおり
２２  後あおり
２４  テント（アコーディオン幌）
２６  排水ポンプ
２８  排水ホース
３２  フロート
３４  作業員休憩具
３６  通信設備
３８  加工機器
４０  補修工具棚
５０  ウィングパネル
５２  サイドパネル
５４  ルーフパネル
５６  照明器
５８  文字表示器
６０  警報機
６２  燃料用補助タンク
６４  換気用窓
６６  アウトリガー
６８  荷役機器
【図１】
0005827504.tif 000002
【図２】
0005827504.tif 000003
【図３】
0005827504.tif 000004
【図４】
0005827504.tif 000005
【図５】
0005827504.tif 000006
【図６】
0005827504.tif 000007
【図７】
0005827504.tif 000008
【図８】
0005827504.tif 000009
【図９】
0005827504.tif 000010
【図１０】
0005827504.tif 000011
【図１１】
0005827504.tif 000012
【図１２】
0005827504.tif 000013
【図１３】
0005827504.tif 000014
【図１４】
0005827504.tif 000015
【図１５】
0005827504.tif 000016
【図１６】
0005827504.tif 000017
【図１７】
0005827504.tif 000018
【図１８】
0005827504.tif 000019
【図１９】
0005827504.tif 000020